(57)【特許請求の範囲】
【請求項１】
平板状のミラー体と、
平板状の透明部材からなるベースプレートと、
当該ベースプレートに固定され、前記ベースプレートの板面上で方位を指し示す方位磁針と、
当該方位磁針の中心を基準に回転自在に取り付けられた分度器と、を備え、
前記ベースプレートの板面における前記方位磁針の近傍の領域に、互いに平行な複数の縦線及び複数の横線からなる格子状のスケールが表示されており、複数の縦線及び複数の横線の中の特定の１本の基準線が、前記方位磁針の中心を通り、
前記ミラー体は、前記ベースプレートに設けられ、前記スケールの表示領域に指向方向の測定対象を映し出すことを特徴とする指向方向測定器。
【請求項２】
前記ベースプレートに固定され、前記ベースプレートが水平か否かを表示するに水平器を更に備えることを特徴とする請求項１記載の指向方向測定器。
【請求項３】
前記ベースプレートに固定される複数の支持脚を更に備え、
当該支持脚は、長さを調整する調整機構を有することを特徴とする請求項２記載の指向方向測定器。
【発明の詳細な説明】
【技術分野】
【０００１】
本発明は、無線局の登録点検等で実施するアンテナの指向方向確認作業に用いられる指向方向測定器に関する。
【背景技術】
【０００２】
従来、無線局の登録点検等で実施するアンテナの指向方向確認作業においては、アンテナの指向方向の角度を、コンパスや地図を用いて目視によって確認している。このため、測定結果にばらつきが発生し、誤差が大きく出るという問題が生じている。
【０００３】
従来における、方向の角度を正確に測定することを目的とする技術としては、特許文献１に記載された技術がある。この技術は、電柱間の線路の角度を測定する線路角度測定器に関するものであり、矩形のベースプレートの片面に方位磁針が設けられ、更に、ベースプレートの片面に鏡体が設けられ、鏡体面に方位磁針を通る１本の基準線が設けられている。そして、電線の下方に線路角度測定器を載置して鏡体面に電線を映し、ベースプレートを操作して電線と基準線とを一致させることにより、線路の角度が測定される、というものである。
【先行技術文献】
【特許文献】
【０００４】
【特許文献１】特開２００７−２７８９５７号公報
【発明の概要】
【発明が解決しようとする課題】
【０００５】
ところで、特許文献１に記載されている線路角度測定器は、アンテナの指向方向の角度を測定することにも適用可能であると思われる。しかし、電線の下方であれば、線路角度測定器を容易に位置付けることは可能であるが、アンテナの場合には鉄塔に固定されている場合が多く、鉄塔の下部が障害となって線路角度測定器をアンテナの下方に線路角度測定器を配置することが困難な場合がある。この場合、アンテナの指向方向と基準線とを一致させることができるとは限らず、鏡に映し出されるアンテナが基準線からどうしてもずれてしまうこともあり得る。
【０００６】
本発明は、このような問題に鑑みてなされたものであり、無線局の登録点検等で実施するアンテナの指向方向確認作業を、より短時間でかつ効率的に行うことを実現した指向方向測定器を提供する。
【課題を解決するための手段】
【０００７】
前記目的を達成するため、本発明は、次に記載する構成を備えている。
【０００８】
（１）  平板状のミラー体と、平板状の透明部材からなるベースプレートと、当該ベースプレートに固定され、前記ベースプレートの板面上で方位を指し示す方位磁針と、当該方位磁針の中心を基準に回転自在に取り付けられた分度器と、を備え、前記ベースプレートの板面における前記方位磁針の近傍の領域には、互いに平行な複数の縦線及び複数の横線からなる格子状のスケールが表示されており、複数の縦線及び複数の横線の中の特定の１本の基準線が、前記方位磁針の中心を通り、前記ミラー体は、前記ベースプレートに設けられ、前記スケールの表示領域に指向方向の測定対象を映し出すことを特徴とする指向方向測定器。
【０００９】
（１）によれば、ミラー体に、指向方向の確認対象となるアンテナを映し出し、アンテナの指向方向と、複数の縦線及び複数の横線のいずれか１本とを一致させ、方位磁針のＮ極が０度になるように分度器を調整する。このとき、基準線が位置する分度器の角度、もしくはこの角度に±９０度した角度がアンテナの指向方向の角度となる。このように、ミラー体に映るアンテナに対して方向測定具の位置多少ずれたとしても、アンテナの指向方向とスケールとを合わせることにより、アンテナの指向方向を容易に測定することが可能になる。
【００１０】
（２）  （１）において、前記ベースプレートに固定され、前記ベースプレートが水平か否かを表示するに水平器を更に備えることを特徴とする指向方向測定器。
【００１１】
（２）によれば、ベースプレートを水平にすることが容易に可能になり、アンテナの指向方向確認作業を、より短時間でかつ効率的に行うことが可能になる。
【００１２】
（３）  （２）において、前記ベースプレートに固定される複数の支持脚を更に備え、当該支持脚は、長さを調整する調整機構を有することを特徴とする指向方向測定器。
【００１３】
（３）によれば、支持脚の長さを調整することにより、ベースプレートが水平になるように微調整することが可能になる。
【発明の効果】
【００１４】
本発明によれば、無線局の登録点検等で実施するアンテナの指向方向確認作業を、より短時間でかつ効率的に行うことが可能になる。
【図面の簡単な説明】
【００１５】
【図１】本発明の一実施形態おける指向方向測定器１の構成を示す説明図である。
【図２】第２領域１０ｂの鏡面プレート４０にパラボラアンテナを映した例を示す図である。
【発明を実施するための形態】
【００１６】
以下、本発明の一実施形態について、図面を参照しながら詳細に説明する。
図１は、本発明の一実施形態おける指向方向測定器１の構成を示す説明図であり、図１（ａ）は平面図、図１（ｂ）は側面図、図１（ｃ）は正面図である。
【００１７】
指向方向測定器１は、ベースプレート１０と、コンパス２０と、水平器３０と、ミラー体に相当する鏡面プレート４０と、支持脚５０と、を含んで構成される。
【００１８】
ベースプレート１０は、アクリル板等の透明素材からなる略矩形の板状部材からなる。ベースプレート１０の板面は、短辺に平行な仮想線Ａによって第１領域１０ａと第２領域１０ｂとに分けられており、第１領域１０ａには、コンパス２０を装着するための孔部１２が形成されている。また、第２領域１０ｂには、等間隔に並ぶ複数の縦線１４ａと、等間隔に並ぶ複数の横線１４ｂとからなる格子状のスケール１４が刻字されている。縦線１４ａは、ベースプレート１０の長辺に平行であり、横線１４ｂは、ベースプレート１０の短辺に平行である。すなわち、縦線１４ａと横線１４ｂとは互いに直交する。また、複数の縦線１４ａにおける中央の縦線１４ａは、第１領域１０ａに渡って形成されており、孔部１２まで延びている。なお、以下の説明の便宜上、中央の縦線１４ａを基準線１４ｃと称する場合がある。
【００１９】
ベースプレート１０における第２領域１０ｂの裏面領域は、第１領域１０ａの裏面領域に対して段状に形成されている。第２領域１０ｂの裏面領域に鏡面プレート４０が固定される。この際、鏡面プレート４０の鏡面が第２領域１０ｂの裏面に対向する。
【００２０】
コンパス２０は、方位磁針２０ａと、分度器２０ｂと、筐体２０ｃと、を含んで構成される。方位磁針２０ａは、一端部側がＮ極に、他端部側がＳ極に着磁された細長い平板状の磁石体である。
【００２１】
分度器２０ｂは、東西南北に相当する「Ｅ」、「Ｗ」、「Ｓ」、「Ｎ」の文字、及び「Ｎ」を０度（３６０度）とした場合の０〜３６０度までの角度が測定可能な目盛りが刻まれた円環形の板状部材である。分度器２０ｂの内径は方位磁針２０ａよりも若干大きく設定されている。
【００２２】
筐体２０ｃは、コンパス２０及び分度器２０ｂを収納する円筒部材である。筐体２０ｃの中心に針状部材が立設しており、この針状部材の先端に方位磁針２０ａが回転自在に載置される。更に、方位磁針２０ａを囲むように分度器２０ｂが配置される。
【００２３】
方位磁針２０ａ及び分度器２０ｂを収納した筐体２０ｃの上部は、透明部材によって覆われる。また、筐体２０ｃの下部には、分度器２０ｂを回転させるダイヤル部材が設けられている。分度器２０ｂは、作業員によるダイヤルの操作によって、例えば、方位磁針２０ａのＮ極と、分度器２０ｂの「Ｎ」とが一致するように、分度器２０ｂを回転させることが可能である。
【００２４】
コンパス２０は、ベースプレート１０の孔部１２に挿入、固定される。このため、分度器２０ｂの回転操作は、ベースプレート１０の裏側から行われることになる。また、コンパス２０がベースプレート１０に固定された場合、方位磁針２０ａの回転中心は、基準線１４ｃを含む仮想直線上に位置付けられる。また、分度器２０ｂにおける角度が表示された板面が、ベースプレート１０の板面と面一になる。
【００２５】
水平器３０は、ベースプレート１０の板面に設置され、ベースプレート１０が水平になっているか否かを表示するものである。
【００２６】
鏡面プレート４０は、ベースプレート１０における第２領域１０ｂの裏面領域に設置され、スケール１４の背景を鏡面にするものである。鏡面プレート４０は、第２領域１０ｂと略同じ大きさであり、ベースプレート１０に鏡面プレート４０を設置した場合に、鏡面プレート４０の裏面と第１領域１０ａの裏面領域とが面一になる。なお、鏡面プレート４０の鏡面とベースプレート１０の板面とは平行である。
【００２７】
支持脚５０は、図１（ｂ）及び図１（ｃ）に示すように、脚部材５０ａと、脚部材５０ａの長さを調節する調整機構５０ｂとによって構成される。脚部材５０ａは柱状部材からなり、一端部にはベースプレート１０に回動自在に設置するためのヒンジ部材（図示せず）が設けられている。脚部材５０ａの他端には調整機構５０ｂが設置されている。調整機構５０ｂは、地面に当接する当接部材と、この当接部材に固定されたボルト部材とからなり、このボルト部材が脚部材５０ａに螺合する。そして、当接部材を回転させることによってボルト部材が脚部材５０ａに対して突出又は引込むことによって、支持脚５０の長さを調整することが可能になる。
【００２８】
支持脚５０は、鏡面プレート４０が固定されているベースプレート１０の裏面の４つの角部に、脚部材５０ａに設けたヒンジ部材を固定することにより、ベースプレート１０に設置される。これにより、支持脚５０は、ベースプレート１０の裏面側において、板面に対して立設した状態と、板面の長辺にそって折り畳んだ状態とに切り替えることが可能になる。すなわち、指向方向測定器１の使用時に４つの支持脚５０を立ち上げ、支持脚５０を載置面に置くことによって、ベースプレート１０は４本の支持脚５０によって支持され、支持脚５０の載置面から所定の高さに位置付けられる。
【００２９】
次に、本実施形態の指向方向測定器１の使用方法について説明する。ここでは、パラボラアンテナの指向方向の角度を測定する場合について説明する。
【００３０】
まず、作業員は、測定対象となるパラボラアンテナの位置を目視にて確認し、測定対象のパラボラアンテナの前方側の任意の場所に移動する。この時、指向方向測定器１の鏡面プレート４０が、測定対象のパラボラアンテナを映し出すことが可能な場所である必要がある。
【００３１】
次に、作業員は、指向方向測定器１の４つ支持脚５０を立ち上げ、支持脚５０を介して指向方向測定器１を地面に載置する。
次に、作業員は、ベースプレート１０が水平になるように、水平器３０を視認して水平の程度を確認しながら４つ支持脚５０の長さを調整する。ベースプレート１０が水平になるように調整した後、ベースプレート１０の水平状態を保ったままベースプレート１０を移動させて、ベースプレート１０の第２領域１０ｂにパラボラアンテナを映し出す。
【００３２】
次に、第２領域１０ｂの鏡面プレート４０にパラボラアンテナを映しながら、図２に示すように、パラボラアンテナの水平方向と、横線１４ｂとを合わせる。そのときに水平を保つよう注意する。なお、パラボラアンテナの水平方向に合わせる横線は、複数の横線１４ｂの中のどの横線であってもよい。
次に、分度器２０ｂを回転させて、分度器２０ｂの「Ｎ」と、方位磁針のＮ極とを合わせる。
【００３３】
そして、分度器２０ｂの「Ｎ」の北と縦線１４ａとの角度の差、言い換えると基準線１４ｃが指し示す分度器２０ｂの目盛りの値を読み取ることによって、パラボラアンテナの指向方向の角度が測定される。
【００３４】
以上、説明したように構成された本実施形態によれば、作業員が、鏡面プレート４０に映し出されたアンテナを見ながら、同時に方位磁針２０ａの方向調整及び分度器２０ｂの回転操作が出来るため、高い精度でアンテナの指向方向の角度を測定することができる。しかも、作業員の違いによる測定誤差を低減することができる。
【００３５】
また、分度器２０ｂとスケール１４に段差をなくし面一にすることによって、基準線１４ｃが指し示す数値を容易にかつ正確に読み取ることが可能になる。
【００３６】
また、指向方向確認用の縦線１４ａに加え、９０度方向が違う横線１４ｂを追加したことにより、アンテナの指向方向を横線１４ｂに合わせ、基準線１４ｃが指す分度器２０ｂの数値を読み取り、その値に±９０度することにより、アンテナの指向方向の角度を求めることが可能になる。更に、縦線１４ａ及び横線１４ｂを複数にすることにより、鏡面プレート４０に映し出されたアンテナとスケール１４とを合わせる作業が容易になり、作業性を向上させることが可能になる。
【００３７】
また、水平器３０を取り付けることにより、ベースプレート１０及び方位磁針２０ａを水平な状態で維持することが可能になり、方位磁針２０ａが正確に南北を指し示すようになる。これにより、正確にアンテナの指向方向の角度を測定することが可能になる。
【００３８】
また、ベースプレート１０に支持脚５０を設けたことにより、ベースプレート１０を自立させるとともに、ベースプレート１０の水平度の調整を行うことが可能になる。これにより、指向方向測定器１を地上に置いて操作できるため、手振れが生ずることがなくなり、安定してアンテナの指向方向の角度を測定することが可能になる。
【００３９】
また、支持脚５０が折りたたみ式であるため、指向方向測定器１の小型化を図ることが可能になり、指向方向測定器１を省スペースで持ち運びすることが可能となる。
【００４０】
また、鏡面プレート４０、方位磁針２０ａ及び分度器２０ｂを上方から見ながら、ベースプレート１０の裏側におけるコンパス２０の下方の操作によって、分度器２０ｂを回転させることが可能になる。これにより、視界から分度器２０ｂや鏡面プレート４０の鏡面を遮ることがなくなり、正確かつ迅速にアンテナの指向方向の角度を測定することが可能になる。
【００４１】
なお、本実施形態における指向方向測定器１を、アンテナの指向方向の角度を測定する使用例について説明したが、例えば、電柱間に架設された電線の方向の角度を測定することに用いることも可能であり、水平状態のベースプレート１０における鏡面プレート４０に映っている物体であれば、その方向の角度を測定することが可能である。
【００４２】
以上、本発明の指向方向測定器の好ましい一実施形態につき説明したが、本発明は、上述の実施形態に制限されるものではなく、適宜変更が可能である。
【００４３】
例えば、上記実施形態では、ベースプレート１０と鏡面プレート４０とを一体化させているが別体としてもよい。具体的には、ベースプレート１０より大きい鏡面プレート４０に、４本の支持脚５０を取り付けてテーブル状に構成し、その上に、スケール１４と、コンパス２０と、水平器３０とを有するベースプレート１０を載置するように構成してもよい。
【符号の説明】
【００４４】
１  指向方向測定器
１０  ベースプレート
１０ａ  第１領域
１０ｂ  第２領域
１２  孔部
１４  スケール
１４ａ  縦線
１４ｂ  横線
１４ｃ  基準線
２０  コンパス
２０ａ  方位磁針
２０ｂ  分度器
２０ｃ  筐体
３０  水平器
４０  鏡面プレート
５０  支持脚
５０ａ  脚部材
５０ｂ  調整機構
【図１】
0006424635.tif 000002
【図２】
0006424635.tif 000003